(57)【要約】【課題】  リールに巻いた結束テープを引き出して被結束物を結束するにおいて、結束テープの緊張力を一定にして結束の確実さを図る。【解決手段】  水平軸回りに回転可能なリールに巻かれた熱接着性のある結束テープをテープ送出装置で引き出して水平軸回りに開いて被結束物を受け止めている二つの半円状の掴み爪からなる掴回装置に送り、掴み爪を閉じると同時に掴み爪に設けられた上針と下針とで結束テープを挟んで被結束物と一緒に回転し、被結束物に結束テープを巻き付けて結束する一方、溶着装置で結束テープを加熱して接着するとともに、非接着部分を切断装置で切断する結束機において、リールとテープ送出装置との間に、結束テープを通して結束テープを緊張側に弾性付勢する下端に設けられる水平軸回りに揺動可能なテープ緊張装置を設ける。【選択図】  図１
2012240728.tif 000002
【特許請求の範囲】
【請求項１】
水平軸回りに回転可能なリールに巻かれた熱接着性のある結束テープをテープ送出装置で引き出して水平軸回りに開いて被結束物を受け止めている二つの半円状の掴み爪からなる掴回装置に送り、掴み爪を閉じると同時に掴み爪に設けられた上針と下針とで結束テープを挟んで被結束物と一緒に回転し、被結束物に結束テープを巻き付けて結束する一方、溶着装置で結束テープを加熱して接着するとともに、非接着部分を切断装置で切断する結束機において、リールとテープ送出装置との間に、結束テープを通して結束テープを緊張側に弾性付勢する下端に設けられる水平軸回りに揺動可能なテープ緊張装置を設けたことを特徴とする結束機における結束テープの安定緊張装置。
【請求項２】
テープ緊張装置が結束テープをジグザク状に通す案内針を有して水平軸回りに揺動し、案内針が結束テープの緊張側にバネで弾性付勢されている請求項１の結束機における結束テープの安定緊張装置。
【請求項３】
リールに巻かれた結束テープの外周に自重で又はバネの力が付加されて摺接し、結束テープの過巻出しを防止する押し体からなる過巻出防止装置を設けるととともに、バネの力を結束テープの巻径が小さくなるほど大きくした請求項１又は２の結束機における結束テープの安定緊張装置。
【発明の詳細な説明】
【技術分野】
【０００１】
本発明は、そうめん、うどん、パスタといった乾麺や鋼線、線香等の線状物を一定に束ねて結束テープで結束する結束機において、結束ミスや結束テープの破断を防いで安定した結束を可能にする結束機における結束テープの安定緊張装置に関するものである。
【背景技術】
【０００２】
この種の線状物は、供給された一定量を掴んで回転する掴み爪を有しており、掴み爪で掴んだ被結束物を回転させながら、これにリールに巻いた結束テープを巻き付けて結束し、その重合部を溶着して接着するとともに、余った部分を切断装置で切断していた。したがって、緊くもなく、緩くもない安定した結束をするためには、結束テープが常に安定した緊張力（テンション）を保つ必要がある。
【０００３】
このため、下記特許文献１には、結束テープに緊張力を与えるための機構が示されているが、これはガイドローラで折り返した結束テープをテンションローラに巻き付けてこれを移動させることで所定の緊張力を与えるもので、複雑な構造をしていて価格も高くなっている。また、特許文献２にもテンション装置が開示されているが、これはリールが何らかの原因で逆回転し、結束テープが逆行するのを防ぐものであって、安定した緊張力を与えるものではない。
【先行技術文献】
【特許文献】
【０００４】
【特許文献１】特開２００４−１６１２８６号公報
【特許文献２】特開２００３−０２０００５号公報
【発明の開示】
【発明が解決しようとする課題】
【０００５】
本発明は、きわめて簡単な構造で結束テープに常に一定の緊張力を与えるようにしたものである。また、リールに巻かれた結束テープが結束時の回転による惰性で過巻出しをするのを防いで結束テープに安定した緊張力を与えるようにしたものである。
【課題を解決するための手段】
【０００６】
以上の課題の下、本発明は、請求項１に記載した、水平軸回りに回転可能なリールに巻かれた熱接着性のある結束テープをテープ送出装置で引き出して水平軸回りに開いて被結束物を受け止めている二つの半円状の掴み爪からなる掴回装置に送り、掴み爪を閉じると同時に掴み爪に設けられた上針と下針とで結束テープを挟んで被結束物と一緒に回転し、被結束物に結束テープを巻き付けて結束する一方、溶着装置で結束テープを加熱して接着するとともに、非接着部分を切断装置で切断する結束機において、リールとテープ送出装置との間に、結束テープを通して結束テープを緊張側に弾性付勢する下端に設けられる水平軸回りに揺動可能なテープ緊張装置を設けたことを特徴とする結束機における結束テープの安定緊張装置を提供したものである。
【０００７】
また、本発明は、以上の安定緊張装置において、請求項２に記載した、テープ緊張装置が結束テープをジグザク状に通す案内針を有して水平軸回りに揺動し、案内針が結束テープの緊張側にバネで弾性付勢されている手段、請求項３に記載した、リールに巻かれた結束テープの外周に自重で又はバネの力が付加されて摺接し、結束テープの過巻出しを防止する押し体からなる過巻出防止装置を設けるととともに、バネの力を結束テープの巻径が小さくなるほど大きくした手段を提供する。
【発明の効果】
【０００８】
請求項１の発明によると、テープ緊張装置を結束テープの緊張側に弾性付勢しておくという簡単な構造で安定した緊張力を得られる。また、請求項２の手段によると、テープ緊張装置を簡単な構造にできるとともに、より安定した緊張力を得ることができる。請求項３の手段によると、結束テープの過巻出しが防がれ、請求項１の発明と相まってさらに安定した緊張力を得られる。
【図面の簡単な説明】
【０００９】
【図１】テープ結束装置のある過程における説明図である。
【図２】テープ結束装置のある過程における説明図である。
【図３】テープ結束装置のある過程における説明図である。
【図４】テープ結束装置のある過程における説明図である。
【図５】テープ結束装置のある過程における説明図である。
【図６】テープ結束装置のある過程における説明図である。
【図７】テープ結束装置のある過程における説明図である。
【図８】テープ結束装置のある過程における説明図である。
【図９】掴回装置の側面図である。
【図１０】掴回装置の正面図である。
【発明を実施するための形態】
【００１０】
以下、本発明の実施の形態を説明するが、図１〜図８は本発明に係るテープ結束装置の工程を順序だって説明した説明図である。図１は工程の最初の説明図であるが、所定の幅を有する結束テープ（以下、テープという）１は水平軸２の回りに回転可能なリール３に巻かれている。リール３から巻き出たテープ１はガイドローラ４やガイドスリーブ５を経てテープ送出装置６に導かれる。テープ送出装置６は図外のシリンダ等によって前後に移動するもので、テープ１の先端をノーズ７から若干先端側に覗かせているものである。
【００１１】
テープ送出装置６の前方には二つの半円状の掴み爪８、９が上方を開放した状態で存在している掴回装置１０が設けられている。この掴み爪８、９は左右に一対が同芯に設けられており、これで被結束物１１を所定間隔隔てて掴むものである。そして、この掴み爪８、９は図外カム等によって開閉可能に構成されており、開けば上方が開放し、閉じれば被結束物１１を掴むようになっている。開いた状態の掴み爪８、９には所定量の被結束物１１が投入されるようになっており、この投入はコンベア等で搬送する自動で行ってもよいし、手動で行ってもよい。
【００１２】
本発明では、テープ送出装置６とリール３（ガイドスリーブ５）との間にテープ緊張装置１２が設けられている。図９、図１０はテープ緊張装置１２の側面図及び正面図であるが、テープ１を縦にジグザクに通す案内針１３を主体とするものであり、案内針１３の下方にはブラケット１４に設けられた水平軸１５の回りに揺動できるボス１６が形成されているものである。そして、案内針１３はブラケット１４に対してバネ（トルクバネ）１７でリール３側（テープ１の緊張側）に弾性付勢されている。したがって、テープ１の緊張力が弱まると、これをより緊張させる方向に、強まるとより弛緩させる方向に揺動し、テープ１に一定の（安定した）緊張力を与えるようになっている。
【００１３】
図２は次の段階の説明図であるが（図２〜図８における同部材の符号については省略する）、まず、テープ送出装置６が先端にテープ１を覗かせた状態で掴回装置１０側に前進する。すると、テープ緊張装置１２（案内針１３）がテープ１の引出しに応じて反時計方向に回転し、テープ１の緊張力を弱める（緊張力を一定にするため）。このとき、掴み爪８、９の中には被結束物１１が投入されており、掴み爪８、９も閉じ始める。図３も次の段階の説明図であるが、掴み爪８、９の各々にはテープ１側に突出するそれぞれ二本の針（これを上針１８と下針１９と称する）が設けられており、掴み爪８、９が閉じると、上針１８と下針１９も閉じてテープ１を銜える。したがって、掴み爪８、９は被結束物１０を掴んで時計方向に回転を始め、同時にテープ送出装置６も後退を始め、案内針１３はテープ１の緊張力を一定に保つために元に戻ろうとする。
【００１４】
図５も次の段階の説明図であるが、掴み爪８、９が回転を始めると、テープ１は上針１８と下針１９とで銜えられて回転し、被結束物１１を結束し始める。このとき、被結束物１１は絞られて径が縮小し、テープ１の緊張力は弱まり、案内針１３は再度元に戻ろうとする。この点で、バネ１７の強さはテープ１の引出力に応じてテープ１に常に一定の緊張力を与えるように設定されている。具体的には、案内針１３の変位にかかわらずほぼ同じ付勢力を発揮するバネ定数に設定される。図６も次の段階の説明図であるが、掴み爪８、９が二回目の回転に入ると、被結束物１１の径も安定してテープ１の緊張力は再び増し、案内針１３は反時計方向に揺動する。
【００１５】
図７も次の段階の説明図であるが、テープ１が二回目の回転の終期に近くなると、テープ１の緊張力は弱まり、案内針１３は元に戻る。図８は最終段階の説明図であるが、掴み爪８、９の下方にはヒータ（図示省略）でテープ１に塗布された熱加速性樹脂等の熱接着材を溶着して接着する溶着装置２０が上下動可能に設けられており、テープ１が二回巻き付けられると、溶着装置２０が上昇し、溶着して接着する。その後、図示は省略するが、カッターを有する切断装置が降下して来てテープ１を切断する。このような一連の動きをして結束が終了する。
【００１６】
この他、図１等に示すように、リール３に巻かれたテープ１の外周に自重で又はバネ（図示省略）の力が付加されて摺接し、テープ１の過巻出しを防止する板状又は棒状の押し体２１が下端の水平な軸２２の回りに回転可能に設けられている過巻出防止装置２３を備えている。テープ１を強く引き出すと、その惰性でリール３が回転し、テープ１の緊張力が弱まるから、これを防止するためである。この場合、自重であろうと、バネの力を借りるものであろうと、テープ１の径が小さくなるほど押し体２１はテープに強く摺接することになり、惰性回転力を一定にしてテープ１を常に一定の緊張力に保つようになる。つまり、上記したテープの安定緊張装置との相乗効果によってテープの緊張をより安定させるのである。
【符号の説明】
【００１７】
１      結束テープ
２      水平軸
３      リール
４      ガイドローラ
５      ガイドスリーブ
６      テープ送出装置
７      ノーズ
８      掴み爪
９      掴み爪
１０    掴回装置
１１    被結束物
１２    テープ緊張装置
１３    案内針
１４    ブラケット
１５    水平軸
１６    ボス
１７    バネ
１８    上針
１９    下針
２０    溶着装置
２１    押し体
２２    軸
２３    過巻出防止装置
【図１】
2012240728.tif 000003
【図２】
2012240728.tif 000004
【図３】
2012240728.tif 000005
【図４】
2012240728.tif 000006
【図５】
2012240728.tif 000007
【図６】
2012240728.tif 000008
【図７】
2012240728.tif 000009
【図８】
2012240728.tif 000010
【図９】
2012240728.tif 000011
【図１０】
2012240728.tif 000012